(57)【要約】【課題】本発明は内蔵型ドアロックを開示した。【解決手段】本発明は内蔵型ドアロックを開示し、ドアとウォールとを含み、前記ウォールの中には左に開口したスライド棒チャンバが設置され、前記ドアの中には前記スライド棒チャンバを正対している空チャンバが設置され、前記空チャンバと前記スライド棒チャンバとの間にはロック装置が設置され、本発明は構造が簡単で、操作が便利であり、装置がドアの中に設置され、ドアの平らさを保証し、ドアに突起の部分があることを回避し、危険性を消し、それにロックシリンダーをドアの中に隠し、盗賊が簡単にロック穴の位置を見つけるのを回避し、それに指紋と鍵のダブル保険も有し、防盗安全性を高める。【選択図】図１
2020180541.tif 000002
【特許請求の範囲】
【請求項１】
正面視で、ドアとウォールとを含み、前記ウォールの中には左に開口したスライド棒チャンバが設置され、前記ドアの中には前記スライド棒チャンバを正対している空チャンバが設置され、前記空チャンバと前記スライド棒チャンバとの間にはロック装置が設置され、前記空チャンバの左側の内壁の中にはロックシリンダーチャンバが設置され、前記ロックシリンダーチャンバの中にはロックシリンダー装置が設置され、前記ロックシリンダー装置と前記ロック装置との間がベルトにより伝動できるように連結され、前記ロックシリンダーチャンバの後側の内壁の中には揺動板チャンバが設置され、前記揺動板チャンバの中には連結装置が設置され、前記ロックシリンダー装置と前記連結装置との間が当接し合って接触し、前記ロックシリンダー装置は前記ロックシリンダーチャンバの中に固定的に設置された固定ブロックを含み、前記固定ブロックの中には後ろに開口した伝動チャンバが設置され、前記伝動チャンバの中には固定輪が回転できるように設置され、前記固定輪と前記ロック装置との間が連結ベルトによって連結され、前記固定輪の前端には電動軸が固定的に連結され、前記電動軸が前記伝動チャンバの前側の内壁に回転できるように連結され、前記固定輪の中には噛合穴が前後に貫通して設置され、前記固定輪の後側には噛合輪が回転できるように且つスライドできるように設置され、前記噛合輪が前記噛合穴の中に滑り込んで前記固定輪と噛合によって連結されることができ、前記噛合輪を回転することにより前記固定輪を回転連動させることができ、それにより前記連結ベルトによって前記ロック装置を駆動し、前記噛合輪の後端には連結棒が固定的に連結され、前記連結棒の後端が前記連結装置に当接し、前記連結装置が前記連結棒を押し動かしてスライドさせることができ、それにより前記噛合輪を連動させて前記噛合穴の中に滑り込ませ、前記噛合輪の中には前に開口した連結溝が設置され、前記連結溝の後側内壁には突起ブロックが固定的に連結され、鍵が前記連結溝の中に伸びて前記突起ブロックと連結されることができ、この時鍵を回転させて前記噛合輪を回転連動させることができ、前記噛合輪の前端にはロックシリンダーが固定的に連結され、前記ロックシリンダーの前端が前記ロックシリンダーチャンバの中に伸びており、前記ロックシリンダーの中にはロック穴が前後に貫通して設置されていることを特徴とする内蔵型ドアロック。
【請求項２】
前記連結装置は前記揺動板チャンバの左側の内壁に回転できるように連結されたカンチレバーシャフトを含み、前記カンチレバーシャフトには揺動板が固定的に連結され、前記揺動板が前記連結棒を押し動かしてスライドさせることができ、前記カンチレバーシャフトの右端には連結輪が固定的に連結され、前記用揺動板チャンバの右側の内壁の中にはバネチャンバが連通するように設置され、前記バネチャンバの中には連結ブロックがスライドできるように設置され、前記連結ブロックの中には左に開口した連結穴が設置され、前記連結輪が前記連結穴の中に伸びた後前記カンチレバーシャフトの回転を制限でき、前記バネチャンバの右側の内壁の中には電磁ブロックが固定的に設置され、前記電磁ブロックと前記連結ブロックとの間には連結バネが固定的に連結されることを特徴とする請求項１に記載の内蔵型ドアロック。
【請求項３】
前記ロック装置は前記空チャンバの中に回転できるように設置された右プーリを含み、前記右プーリと前記固定輪との間が前記連結ベルトによって連結され、前記右プーリの中には連結軸が固定的に連結され、前記右プーリの後側には前記連結軸に固定的に連結された駆動歯車が回転できるように設置され、前記駆動歯車の右端には従動歯車が噛合し合って設置され、前記従動歯車の右端にはネジボルトが固定的に連結され、前記スライド棒チャンバと前記空チャンバとの間にはスライド棒がスライドできるように設置され、前記スライド棒の中には左に開口したネジ山穴が設置され、前記ネジボルトの右端が前記ネジ山穴の中に伸びており、且つ前記ネジ山穴とねじ山によって連結されることを特徴とする請求項２に記載の内蔵型ドアロック。
【請求項４】
前記ロックシリンダーチャンバの前側の内壁の中には前に開口した封閉チャンバが連通するように設置され、前記封閉チャンバの左右の内壁の間には上下に対称的な回転軸が回転できるように連結され、前記回転軸には封閉板が固定的に連結され、前記封閉板の左右両端と前記封閉チャンバの左右の内壁との間には電磁ねじりばねが固定的に連結されることを特徴とする請求項３に記載の内蔵型ドアロック。
【請求項５】
前記ロックシリンダーチャンバの上側の内壁の中には前に開口したスライダチャンバが設置され、前記スライダチャンバの後側の内壁が前記揺動板チャンバに連通されており、前記スライダチャンバの中にはスライダがスライドできるように設置され、前記スライダの後端が前記揺動板に当接し、前記スライダを押し動かして前記揺動板を回転連動させることができ、前記スライダの前端には指紋板が固定的に連結され、前記指紋板が前記電磁ブロックと前記電動軸とに通電できるように連結され、前記スライド棒チャンバの右側の内壁の中には感応ブロックが固定的に連結され、前記感応ブロックが前記電磁ねじりばねに通電できるように連結されることを特徴とする請求項４に記載の内蔵型ドアロック。
【発明の詳細な説明】
【技術分野】
【０００１】
本発明はロックの分野を取り上げて、具体的には内蔵型ドアロックである。
【背景技術】
【０００２】
現在のドアロックは一般的にドアに突き出て取り付けられ、ロックにぶつかったら、体が大きなダメージを受け、危険をもたらし、危険性があり、それに盗賊に簡単に開けられ、そのためドアの中に設置される内蔵型ロックを設計する必要があり、本装置がドアの中に設置され、ドアの平らさを保証し、ドアに突起部分があることを回避し、危険性を消し、それにロックシリンダーをドアの中に隠し、盗賊が簡単にロック穴の位置を見つけるのを回避し、それに指紋と鍵のダブル保険も有し、防盗安全性を高める。
【先行技術文献】
【特許文献】
【０００３】
【特許文献１】中国特許出願公開第102644412号明細書
【発明の概要】
【発明が解決しようとする課題】
【０００４】
本発明が解決する技術問題は内蔵型ドアロックを提供し、それが上記現在技術の問題を解決できる。
【課題を解決するための手段】
【０００５】
本発明は以下の技術プランを通じて実現する：本発明の内蔵型ドアロックは、ドアとウォールとを含み、前記ウォールの中には左に開口したスライド棒チャンバが設置され、前記ドアの中には前記スライド棒チャンバを正対している空チャンバが設置され、前記空チャンバと前記スライド棒チャンバとの間にはロック装置が設置され、前記空チャンバの左側の内壁の中にはロックシリンダーチャンバが設置され、前記ロックシリンダーチャンバの中にはロックシリンダー装置が設置され、前記ロックシリンダー装置と前記ロック装置との間がベルトにより伝動できるように連結され、前記ロックシリンダーチャンバの後側の内壁の中には揺動板チャンバが設置され、前記揺動板チャンバの中には連結装置が設置され、前記ロックシリンダー装置と前記連結装置との間が当接し合って接触し、前記ロックシリンダー装置は前記ロックシリンダーチャンバの中に固定的に設置された固定ブロックを含み、前記固定ブロックの中には後ろに開口した伝動チャンバが設置され、前記伝動チャンバの中には固定輪が回転できるように設置され、前記固定輪と前記ロック装置との間が連結ベルトによって連結され、前記固定輪の前端には電動軸が固定的に連結され、前記電動軸が前記伝動チャンバの前側の内壁に回転できるように連結され、前記固定輪の中には噛合穴が前後に貫通して設置され、前記固定輪の後側には噛合輪が回転できるように且つスライドできるように設置され、前記噛合輪が前記噛合穴の中に滑り込んで前記固定輪と噛合によって連結されることができ、前記噛合輪を回転することにより前記固定輪を回転連動させることができ、それにより前記連結ベルトによって前記ロック装置を駆動し、前記噛合輪の後端には連結棒が固定的に連結され、前記連結棒の後端が前記連結装置に当接し、前記連結装置が前記連結棒を押し動かしてスライドさせることができ、それにより前記噛合輪を連動させて前記噛合穴の中に滑り込ませ、前記噛合輪の中には前に開口した連結溝が設置され、前記連結溝の後側内壁には突起ブロックが固定的に連結され、鍵が前記連結溝の中に伸びて前記突起ブロックと連結されることができ、この時鍵を回転させて前記噛合輪を回転連動させることができ、前記噛合輪の前端にはロックシリンダーが固定的に連結され、前記ロックシリンダーの前端が前記ロックシリンダーチャンバの中に伸びており、前記ロックシリンダーの中にはロック穴が前後に貫通して設置されている。
【０００６】
更なる技術方案、前記連結装置は前記揺動板チャンバの左側の内壁に回転できるように連結されたカンチレバーシャフトを含み、前記カンチレバーシャフトには揺動板が固定的に連結され、前記揺動板が前記連結棒を押し動かしてスライドさせることができ、前記カンチレバーシャフトの右端には連結輪が固定的に連結され、前記用揺動板チャンバの右側の内壁の中にはバネチャンバが連通するように設置され、前記バネチャンバの中には連結ブロックがスライドできるように設置され、前記連結ブロックの中には左に開口した連結穴が設置され、前記連結輪が前記連結穴の中に伸びた後前記カンチレバーシャフトの回転を制限でき、前記バネチャンバの右側の内壁の中には電磁ブロックが固定的に設置され、前記電磁ブロックと前記連結ブロックとの間には連結バネが固定的に連結され、前記電磁ブロックを導電させることにより前記連結ブロックを吸引することができ、それにより前記連結輪を前記連結穴から離脱させる。
【０００７】
更なる技術方案、前記ロック装置は前記空チャンバの中に回転できるように設置された右プーリを含み、前記右プーリと前記固定輪との間が前記連結ベルトによって連結され、前記右プーリの中には連結軸が固定的に連結され、前記右プーリの後側には前記連結軸に固定的に連結された駆動歯車が回転できるように設置され、前記駆動歯車の右端には従動歯車が噛合し合って設置され、前記従動歯車の右端にはネジボルトが固定的に連結され、前記スライド棒チャンバと前記空チャンバとの間にはスライド棒がスライドできるように設置され、前記スライド棒の中には左に開口したネジ山穴が設置され、前記ネジボルトの右端が前記ネジ山穴の中に伸びており、且つ前記ネジ山穴とねじ山によって連結される。
【０００８】
更なる技術方案、前記ロックシリンダーチャンバの前側の内壁の中には前に開口した封閉チャンバが連通するように設置され、前記封閉チャンバの左右の内壁の間には上下に対称的な回転軸が回転できるように連結され、前記回転軸には封閉板が固定的に連結され、前記封閉板の左右両端と前記封閉チャンバの左右の内壁との間には電磁ねじりばねが固定的に連結され、前記ロックシリンダーが前記封閉板を押し開いて外部に伸び出すことができる。
【０００９】
更なる技術方案、前記ロックシリンダーチャンバの上側の内壁の中には前に開口したスライダチャンバが設置され、前記スライダチャンバの後側の内壁が前記揺動板チャンバに連通されており、前記スライダチャンバの中にはスライダがスライドできるように設置され、前記スライダの後端が前記揺動板に当接し、前記スライダを押し動かして前記揺動板を回転連動させることができ、前記スライダの前端には指紋板が固定的に連結され、前記指紋板が前記電磁ブロックと前記電動軸とに通電できるように連結され、前記スライド棒チャンバの右側の内壁の中には感応ブロックが固定的に連結され、前記感応ブロックが前記電磁ねじりばねに通電できるように連結される。
【発明の効果】
【００１０】
有益な効果は：本発明は構造が簡単で、操作が便利であり、装置がドアの中に設置され、ドアの平らさを保証し、ドアに突起の部分があることを回避し、危険性を消し、それにロックシリンダーをドアの中に隠し、盗賊が簡単にロック穴の位置を見つけるのを回避し、それに指紋と鍵のダブル保険も有し、防盗安全性を高める。
【図面の簡単な説明】
【００１１】
下記に図１〜８をあわせて本発明について詳しく説明し、便利に説明するために、下記の方向を以下のように規定する：図１は本発明装置の正面図であり、以下に述べる上下左右前後の方向と図１の自身投影関係の上下左右前後の方向とが一致である。
【００１２】
【図１】図１は本発明の内蔵型ドアロックの内部構造模式図
【図２】図２は図１の「ＡーＡ」の方向の構造模式図
【図３】図３は図２の「Ｂ」の拡大模式図
【図４】図４は図２の「ＣーＣ」の方向の構造模式図
【図５】図５は図２の「ＤーＤ」の方向の構造模式図
【図６】図６は図３の「ＥーＥ」の方向の構造模式図
【図７】図７は図５の「ＦーＦ」の方向の構造模式図
【図８】図８は図６の「ＧーＧ」の方向の構造模式図
【発明を実施するための形態】
【００１３】
本説明書に公開されるいずれもの特徴、或いは公開されるいずれもの方法或いは過程中の順序は互いに排斥する特徴／或いは順序以外、いかなる方式によって組み合わせる。
【００１４】
図１〜８を参考して、本発明の内蔵型ドアロックは、ドア１１とウォール１４とを含み、前記ウォール１４の中には左に開口したスライド棒チャンバ１３が設置され、前記ドア１１の中には前記スライド棒チャンバ１３を正対している空チャンバ４６が設置され、前記空チャンバ４６と前記スライド棒チャンバ１３との間にはロック装置１０２が設置され、前記空チャンバ４６の左側の内壁の中にはロックシリンダーチャンバ１５が設置され、前記ロックシリンダーチャンバ１５の中にはロックシリンダー装置１００が設置され、前記ロックシリンダー装置１００と前記ロック装置１０２との間がベルトにより伝動できるように連結され、前記ロックシリンダーチャンバ１５の後側の内壁の中には揺動板チャンバ２２が設置され、前記揺動板チャンバ２２の中には連結装置１０１が設置され、前記ロックシリンダー装置１００と前記連結装置１０１との間が当接し合って接触し、前記ロックシリンダー装置１００は前記ロックシリンダーチャンバ１５の中に固定的に設置された固定ブロック２９を含み、前記固定ブロック２９の中には後ろに開口した伝動チャンバ３４が設置され、前記伝動チャンバ３４の中には固定輪３０が回転できるように設置され、前記固定輪３０と前記ロック装置１０２との間が連結ベルト３１によって連結され、前記固定輪３０の前端には電動軸５０が固定的に連結され、前記電動軸５０が前記伝動チャンバ３４の前側の内壁に回転できるように連結され、前記固定輪３０の中には噛合穴３２が前後に貫通して設置され、前記固定輪３０の後側には噛合輪３３が回転できるように且つスライドできるように設置され、前記噛合輪３３が前記噛合穴３２の中に滑り込んで前記固定輪３０と噛合によって連結されることができ、前記噛合輪３３を回転することにより前記固定輪３０を回転連動させることができ、それにより前記連結ベルト３１によって前記ロック装置１０２を駆動し、前記噛合輪３３の後端には連結棒２３が固定的に連結され、前記連結棒２３の後端が前記連結装置１０１に当接し、前記連結装置１０１が前記連結棒２３を押し動かしてスライドさせることができ、それにより前記噛合輪３３を連動させて前記噛合穴３２の中に滑り込ませ、前記噛合輪３３の中には前に開口した連結溝３６が設置され、前記連結溝３６の後側内壁には突起ブロック３５が固定的に連結され、鍵が前記連結溝３６の中に伸びて前記突起ブロック３５と連結されることができ、この時鍵を回転させて前記噛合輪３３を回転連動させることができ、前記噛合輪３３の前端にはロックシリンダー２５が固定的に連結され、前記ロックシリンダー２５の前端が前記ロックシリンダーチャンバ１５の中に伸びており、前記ロックシリンダー２５の中にはロック穴２４が前後に貫通して設置されている。
【００１５】
有益なように、前記連結装置１０１は前記揺動板チャンバ２２の左側の内壁に回転できるように連結されたカンチレバーシャフト２０を含み、前記カンチレバーシャフト２０には揺動板２１が固定的に連結され、前記揺動板２１が前記連結棒２３を押し動かしてスライドさせることができ、前記カンチレバーシャフト２０の右端には連結輪１９が固定的に連結され、前記用揺動板チャンバ２２の右側の内壁の中にはバネチャンバ４１が連通するように設置され、前記バネチャンバ４１の中には連結ブロック３８がスライドできるように設置され、前記連結ブロック３８の中には左に開口した連結穴４２が設置され、前記連結輪１９が前記連結穴４２の中に伸びた後前記カンチレバーシャフト２０の回転を制限でき、前記バネチャンバ４１の右側の内壁の中には電磁ブロック３９が固定的に設置され、前記電磁ブロック３９と前記連結ブロック３８との間には連結バネ４０が固定的に連結され、前記電磁ブロック３９を導電させることにより前記連結ブロック３８を吸引することができ、それにより前記連結輪１９を前記連結穴４２から離脱させる。
【００１６】
有益なように、前記ロック装置１０２は前記空チャンバ４６の中に回転できるように設置された右プーリ４４を含み、前記右プーリ４４と前記固定輪３０との間が前記連結ベルト３１によって連結され、前記右プーリ４４の中には連結軸４３が固定的に連結され、前記右プーリ４４の後側には前記連結軸４３に固定的に連結された駆動歯車４８が回転できるように設置され、前記駆動歯車４８の右端には従動歯車４９が噛合し合って設置され、前記従動歯車４９の右端にはネジボルト４５が固定的に連結され、前記スライド棒チャンバ１３と前記空チャンバ４６との間にはスライド棒１２がスライドできるように設置され、前記スライド棒１２の中には左に開口したネジ山穴４７が設置され、前記ネジボルト４５の右端が前記ネジ山穴４７の中に伸びており、且つ前記ネジ山穴４７とねじ山によって連結される。
【００１７】
有益なように、前記ロックシリンダーチャンバ１５の前側の内壁の中には前に開口した封閉チャンバ２７が連通するように設置され、前記封閉チャンバ２７の左右の内壁の間には上下に対称的な回転軸２８が回転できるように連結され、前記回転軸２８には封閉板２６が固定的に連結され、前記封閉板２６の左右両端と前記封閉チャンバ２７の左右の内壁との間には電磁ねじりばね３７が固定的に連結され、前記ロックシリンダー２５が前記封閉板２６を押し開いて外部に伸び出すことができる。
【００１８】
有益なように、前記ロックシリンダーチャンバ１５の上側の内壁の中には前に開口したスライダチャンバ１６が設置され、前記スライダチャンバ１６の後側の内壁が前記揺動板チャンバ２２に連通されており、前記スライダチャンバ１６の中にはスライダ１８がスライドできるように設置され、前記スライダ１８の後端が前記揺動板２１に当接し、前記スライダ１８を押し動かして前記揺動板２１を回転連動させることができ、前記スライダ１８の前端には指紋板１７が固定的に連結され、前記指紋板１７が前記電磁ブロック３９と前記電動軸５０とに通電できるように連結され、前記スライド棒チャンバ１３の右側の内壁の中には感応ブロック５１が固定的に連結され、前記感応ブロック５１が前記電磁ねじりばね３７に通電できるように連結される。
【００１９】
使用する時、指が指紋板１７を押し、指紋が正しいときに電磁ブロック３９を導電させ、同時に電動軸５０をタイムディレイに導電させ、この時電磁ブロック３９が連結ブロック３８を吸引し、連結輪１９を連結穴４２から離脱させ、この時スライダ１８を押し動かし、それにより揺動板２１を押し動かしてカンチレバーシャフト２０を回して回転させ、それにより連結棒２３を押し動かしてスライドさせ、それにより噛合輪３３を連動させて固定輪３０に噛合させ、同時にロックシリンダー２５の前端が封閉板２６を押し動かして揺動させて外部に伸び出させ、この時鍵をロック穴２４の中に差し込んで突起ブロック３５に連結し、鍵を回転させることにより噛合輪３３を回転連動させ、それにより固定輪３０を回転連動させ、それにより連結ベルト３１によって右プーリ４４を回転連動させ、それにより連結軸４３によって駆動歯車４８と従動歯車４９とを回転連動させ、それによりネジボルト４５によってスライド棒１２をスライド棒チャンバ１３から滑り出させ、この時ドア１１を開けられ、ドア１１を閉めた後、この時電動軸５０を導電させ、それにより固定輪３０を反方向に回転連動させ、それによりスライド棒１２を改めてスライド棒チャンバ１３の中に伸びさせ、感応ブロック５１はスライド棒１２がスライド棒チャンバ１３の中に伸びたことを検知した後電磁ねじりばね３７を導電させ、この時電磁ねじりばね３７が封閉板２６を揺動連動させ、それによりロックシリンダー２５を押し動かして噛合輪３３を固定輪３０から離脱させ、同時に連結棒２３が揺動板２１を押し動かして揺動させ、それによりスライダ１８と指紋板１７とを押し動かしてスライドさせ、この時電磁ブロック３９と、電動軸５０と、電磁ねじりばね３７とが導電されなくなる。
【００２０】
本分野の技術者が明確できるのは、本発明の総体精神や発想から離脱しない場合で、以上の実施例に各種な変形ができ、それらの変形がすべて本発明の保護範囲にある。本発明の保護方案は本発明の権利要求書を標準とすべきである。
【図１】
2020180541.tif 000003
【図２】
2020180541.tif 000004
【図３】
2020180541.tif 000005
【図４】
2020180541.tif 000006
【図５】
2020180541.tif 000007
【図６】
2020180541.tif 000008
【図７】
2020180541.tif 000009
【図８】
2020180541.tif 000010
【手続補正書】
【提出日】令和1年7月17日(2019.7.17)
【手続補正１】
【補正対象書類名】特許請求の範囲
【補正対象項目名】請求項２
【補正方法】変更
【補正の内容】
【請求項２】
前記連結装置は前記揺動板チャンバの左側の内壁に回転できるように連結されたカンチレバーシャフトを含み、前記カンチレバーシャフトには揺動板が固定的に連結され、前記揺動板が前記連結棒を押し動かしてスライドさせることができ、前記カンチレバーシャフトの右端には連結輪が固定的に連結され、前記揺動板チャンバの右側の内壁の中にはバネチャンバが連通するように設置され、前記バネチャンバの中には連結ブロックがスライドできるように設置され、前記連結ブロックの中には左に開口した連結穴が設置され、前記連結輪が前記連結穴の中に伸びた後前記カンチレバーシャフトの回転を制限でき、前記バネチャンバの右側の内壁の中には電磁ブロックが固定的に設置され、前記電磁ブロックと前記連結ブロックとの間には連結バネが固定的に連結されることを特徴とする請求項１に記載の内蔵型ドアロック。
【手続補正２】
【補正対象書類名】明細書
【補正対象項目名】全文
【補正方法】変更
【補正の内容】
【発明の詳細な説明】
【技術分野】
【０００１】
本発明はロックの分野を取り上げて、具体的には内蔵型ドアロックである。
【背景技術】
【０００２】
現在のドアロックは一般的にドアに突き出て取り付けられ、ロックにぶつかったら、体が大きなダメージを受け、危険をもたらし、危険性があり、それに盗賊に簡単に開けられ、そのためドアの中に設置される内蔵型ロックを設計する必要があり、本装置がドアの中に設置され、ドアの平らさを保証し、ドアに突起部分があることを回避し、危険性を消し、それにロックシリンダーをドアの中に隠し、盗賊が簡単にロック穴の位置を見つけるのを回避し、それに指紋と鍵のダブル保険も有し、防盗安全性を高める。
【先行技術文献】
【特許文献】
【０００３】
【特許文献１】中国特許出願公開第102644412号明細書
【発明の概要】
【発明が解決しようとする課題】
【０００４】
本発明が解決する技術問題は内蔵型ドアロックを提供し、それが上記現在技術の問題を解決できる。
【課題を解決するための手段】
【０００５】
本発明は以下の技術プランを通じて実現する：本発明の内蔵型ドアロックは、ドアとウォールとを含み、前記ウォールの中には左に開口したスライド棒チャンバが設置され、前記ドアの中には前記スライド棒チャンバを正対している空チャンバが設置され、前記空チャンバと前記スライド棒チャンバとの間にはロック装置が設置され、前記空チャンバの左側の内壁の中にはロックシリンダーチャンバが設置され、前記ロックシリンダーチャンバの中にはロックシリンダー装置が設置され、前記ロックシリンダー装置と前記ロック装置との間がベルトにより伝動できるように連結され、前記ロックシリンダーチャンバの後側の内壁の中には揺動板チャンバが設置され、前記揺動板チャンバの中には連結装置が設置され、前記ロックシリンダー装置と前記連結装置との間が当接し合って接触し、前記ロックシリンダー装置は前記ロックシリンダーチャンバの中に固定的に設置された固定ブロックを含み、前記固定ブロックの中には後ろに開口した伝動チャンバが設置され、前記伝動チャンバの中には固定輪が回転できるように設置され、前記固定輪と前記ロック装置との間が連結ベルトによって連結され、前記固定輪の前端には電動軸が固定的に連結され、前記電動軸が前記伝動チャンバの前側の内壁に回転できるように連結され、前記固定輪の中には噛合穴が前後に貫通して設置され、前記固定輪の後側には噛合輪が回転できるように且つスライドできるように設置され、前記噛合輪が前記噛合穴の中に滑り込んで前記固定輪と噛合によって連結されることができ、前記噛合輪を回転することにより前記固定輪を回転連動させることができ、それにより前記連結ベルトによって前記ロック装置を駆動し、前記噛合輪の後端には連結棒が固定的に連結され、前記連結棒の後端が前記連結装置に当接し、前記連結装置が前記連結棒を押し動かしてスライドさせることができ、それにより前記噛合輪を連動させて前記噛合穴の中に滑り込ませ、前記噛合輪の中には前に開口した連結溝が設置され、前記連結溝の後側内壁には突起ブロックが固定的に連結され、鍵が前記連結溝の中に伸びて前記突起ブロックと連結されることができ、この時鍵を回転させて前記噛合輪を回転連動させることができ、前記噛合輪の前端にはロックシリンダーが固定的に連結され、前記ロックシリンダーの前端が前記ロックシリンダーチャンバの中に伸びており、前記ロックシリンダーの中にはロック穴が前後に貫通して設置されている。
【０００６】
更なる技術方案、前記連結装置は前記揺動板チャンバの左側の内壁に回転できるように連結されたカンチレバーシャフトを含み、前記カンチレバーシャフトには揺動板が固定的に連結され、前記揺動板が前記連結棒を押し動かしてスライドさせることができ、前記カンチレバーシャフトの右端には連結輪が固定的に連結され、前記揺動板チャンバの右側の内壁の中にはバネチャンバが連通するように設置され、前記バネチャンバの中には連結ブロックがスライドできるように設置され、前記連結ブロックの中には左に開口した連結穴が設置され、前記連結輪が前記連結穴の中に伸びた後前記カンチレバーシャフトの回転を制限でき、前記バネチャンバの右側の内壁の中には電磁ブロックが固定的に設置され、前記電磁ブロックと前記連結ブロックとの間には連結バネが固定的に連結され、前記電磁ブロックを導電させることにより前記連結ブロックを吸引することができ、それにより前記連結輪を前記連結穴から離脱させる。
【０００７】
更なる技術方案、前記ロック装置は前記空チャンバの中に回転できるように設置された右プーリを含み、前記右プーリと前記固定輪との間が前記連結ベルトによって連結され、前記右プーリの中には連結軸が固定的に連結され、前記右プーリの後側には前記連結軸に固定的に連結された駆動歯車が回転できるように設置され、前記駆動歯車の右端には従動歯車が噛合し合って設置され、前記従動歯車の右端にはネジボルトが固定的に連結され、前記スライド棒チャンバと前記空チャンバとの間にはスライド棒がスライドできるように設置され、前記スライド棒の中には左に開口したネジ山穴が設置され、前記ネジボルトの右端が前記ネジ山穴の中に伸びており、且つ前記ネジ山穴とねじ山によって連結される。
【０００８】
更なる技術方案、前記ロックシリンダーチャンバの前側の内壁の中には前に開口した封閉チャンバが連通するように設置され、前記封閉チャンバの左右の内壁の間には上下に対称的な回転軸が回転できるように連結され、前記回転軸には封閉板が固定的に連結され、前記封閉板の左右両端と前記封閉チャンバの左右の内壁との間には電磁ねじりばねが固定的に連結され、前記ロックシリンダーが前記封閉板を押し開いて外部に伸び出すことができる。
【０００９】
更なる技術方案、前記ロックシリンダーチャンバの上側の内壁の中には前に開口したスライダチャンバが設置され、前記スライダチャンバの後側の内壁が前記揺動板チャンバに連通されており、前記スライダチャンバの中にはスライダがスライドできるように設置され、前記スライダの後端が前記揺動板に当接し、前記スライダを押し動かして前記揺動板を回転連動させることができ、前記スライダの前端には指紋板が固定的に連結され、前記指紋板が前記電磁ブロックと前記電動軸とに通電できるように連結され、前記スライド棒チャンバの右側の内壁の中には感応ブロックが固定的に連結され、前記感応ブロックが前記電磁ねじりばねに通電できるように連結される。
【発明の効果】
【００１０】
有益な効果は：本発明は構造が簡単で、操作が便利であり、装置がドアの中に設置され、ドアの平らさを保証し、ドアに突起の部分があることを回避し、危険性を消し、それにロックシリンダーをドアの中に隠し、盗賊が簡単にロック穴の位置を見つけるのを回避し、それに指紋と鍵のダブル保険も有し、防盗安全性を高める。
【図面の簡単な説明】
【００１１】
下記に図１〜８をあわせて本発明について詳しく説明し、便利に説明するために、下記の方向を以下のように規定する：図１は本発明装置の正面図であり、以下に述べる上下左右前後の方向と図１の自身投影関係の上下左右前後の方向とが一致である。
【００１２】
【図１】図１は本発明の内蔵型ドアロックの内部構造模式図
【図２】図２は図１の「ＡーＡ」の方向の構造模式図
【図３】図３は図２の「Ｂ」の拡大模式図
【図４】図４は図２の「ＣーＣ」の方向の構造模式図
【図５】図５は図２の「ＤーＤ」の方向の構造模式図
【図６】図６は図３の「ＥーＥ」の方向の構造模式図
【図７】図７は図５の「ＦーＦ」の方向の構造模式図
【図８】図８は図６の「ＧーＧ」の方向の構造模式図
【発明を実施するための形態】
【００１３】
本説明書に公開されるいずれもの特徴、或いは公開されるいずれもの方法或いは過程中の順序は互いに排斥する特徴／或いは順序以外、いかなる方式によって組み合わせる。
【００１４】
図１〜８を参考して、本発明の内蔵型ドアロックは、ドア１１とウォール１４とを含み、前記ウォール１４の中には左に開口したスライド棒チャンバ１３が設置され、前記ドア１１の中には前記スライド棒チャンバ１３を正対している空チャンバ４６が設置され、前記空チャンバ４６と前記スライド棒チャンバ１３との間にはロック装置１０２が設置され、前記空チャンバ４６の左側の内壁の中にはロックシリンダーチャンバ１５が設置され、前記ロックシリンダーチャンバ１５の中にはロックシリンダー装置１００が設置され、前記ロックシリンダー装置１００と前記ロック装置１０２との間がベルトにより伝動できるように連結され、前記ロックシリンダーチャンバ１５の後側の内壁の中には揺動板チャンバ２２が設置され、前記揺動板チャンバ２２の中には連結装置１０１が設置され、前記ロックシリンダー装置１００と前記連結装置１０１との間が当接し合って接触し、前記ロックシリンダー装置１００は前記ロックシリンダーチャンバ１５の中に固定的に設置された固定ブロック２９を含み、前記固定ブロック２９の中には後ろに開口した伝動チャンバ３４が設置され、前記伝動チャンバ３４の中には固定輪３０が回転できるように設置され、前記固定輪３０と前記ロック装置１０２との間が連結ベルト３１によって連結され、前記固定輪３０の前端には電動軸５０が固定的に連結され、前記電動軸５０が前記伝動チャンバ３４の前側の内壁に回転できるように連結され、前記固定輪３０の中には噛合穴３２が前後に貫通して設置され、前記固定輪３０の後側には噛合輪３３が回転できるように且つスライドできるように設置され、前記噛合輪３３が前記噛合穴３２の中に滑り込んで前記固定輪３０と噛合によって連結されることができ、前記噛合輪３３を回転することにより前記固定輪３０を回転連動させることができ、それにより前記連結ベルト３１によって前記ロック装置１０２を駆動し、前記噛合輪３３の後端には連結棒２３が固定的に連結され、前記連結棒２３の後端が前記連結装置１０１に当接し、前記連結装置１０１が前記連結棒２３を押し動かしてスライドさせることができ、それにより前記噛合輪３３を連動させて前記噛合穴３２の中に滑り込ませ、前記噛合輪３３の中には前に開口した連結溝３６が設置され、前記連結溝３６の後側内壁には突起ブロック３５が固定的に連結され、鍵が前記連結溝３６の中に伸びて前記突起ブロック３５と連結されることができ、この時鍵を回転させて前記噛合輪３３を回転連動させることができ、前記噛合輪３３の前端にはロックシリンダー２５が固定的に連結され、前記ロックシリンダー２５の前端が前記ロックシリンダーチャンバ１５の中に伸びており、前記ロックシリンダー２５の中にはロック穴２４が前後に貫通して設置されている。
【００１５】
有益なように、前記連結装置１０１は前記揺動板チャンバ２２の左側の内壁に回転できるように連結されたカンチレバーシャフト２０を含み、前記カンチレバーシャフト２０には揺動板２１が固定的に連結され、前記揺動板２１が前記連結棒２３を押し動かしてスライドさせることができ、前記カンチレバーシャフト２０の右端には連結輪１９が固定的に連結され、前記揺動板チャンバ２２の右側の内壁の中にはバネチャンバ４１が連通するように設置され、前記バネチャンバ４１の中には連結ブロック３８がスライドできるように設置され、前記連結ブロック３８の中には左に開口した連結穴４２が設置され、前記連結輪１９が前記連結穴４２の中に伸びた後前記カンチレバーシャフト２０の回転を制限でき、前記バネチャンバ４１の右側の内壁の中には電磁ブロック３９が固定的に設置され、前記電磁ブロック３９と前記連結ブロック３８との間には連結バネ４０が固定的に連結され、前記電磁ブロック３９を導電させることにより前記連結ブロック３８を吸引することができ、それにより前記連結輪１９を前記連結穴４２から離脱させる。
【００１６】
有益なように、前記ロック装置１０２は前記空チャンバ４６の中に回転できるように設置された右プーリ４４を含み、前記右プーリ４４と前記固定輪３０との間が前記連結ベルト３１によって連結され、前記右プーリ４４の中には連結軸４３が固定的に連結され、前記右プーリ４４の後側には前記連結軸４３に固定的に連結された駆動歯車４８が回転できるように設置され、前記駆動歯車４８の右端には従動歯車４９が噛合し合って設置され、前記従動歯車４９の右端にはネジボルト４５が固定的に連結され、前記スライド棒チャンバ１３と前記空チャンバ４６との間にはスライド棒１２がスライドできるように設置され、前記スライド棒１２の中には左に開口したネジ山穴４７が設置され、前記ネジボルト４５の右端が前記ネジ山穴４７の中に伸びており、且つ前記ネジ山穴４７とねじ山によって連結される。
【００１７】
有益なように、前記ロックシリンダーチャンバ１５の前側の内壁の中には前に開口した封閉チャンバ２７が連通するように設置され、前記封閉チャンバ２７の左右の内壁の間には上下に対称的な回転軸２８が回転できるように連結され、前記回転軸２８には封閉板２６が固定的に連結され、前記封閉板２６の左右両端と前記封閉チャンバ２７の左右の内壁との間には電磁ねじりばね３７が固定的に連結され、前記ロックシリンダー２５が前記封閉板２６を押し開いて外部に伸び出すことができる。
【００１８】
有益なように、前記ロックシリンダーチャンバ１５の上側の内壁の中には前に開口したスライダチャンバ１６が設置され、前記スライダチャンバ１６の後側の内壁が前記揺動板チャンバ２２に連通されており、前記スライダチャンバ１６の中にはスライダ１８がスライドできるように設置され、前記スライダ１８の後端が前記揺動板２１に当接し、前記スライダ１８を押し動かして前記揺動板２１を回転連動させることができ、前記スライダ１８の前端には指紋板１７が固定的に連結され、前記指紋板１７が前記電磁ブロック３９と前記電動軸５０とに通電できるように連結され、前記スライド棒チャンバ１３の右側の内壁の中には感応ブロック５１が固定的に連結され、前記感応ブロック５１が前記電磁ねじりばね３７に通電できるように連結される。
【００１９】
使用する時、指が指紋板１７を押し、指紋が正しいときに電磁ブロック３９を導電させ、電動軸５０が通電しておらず、同時に電動軸５０をタイムディレイに導電させ、この時電磁ブロック３９が連結ブロック３８を吸引し、連結輪１９を連結穴４２から離脱させ、この時スライダ１８を押し動かし、それにより揺動板２１を押し動かしてカンチレバーシャフト２０を回して回転させ、それにより連結棒２３を押し動かしてスライドさせ、それにより噛合輪３３を連動させて固定輪３０に噛合させ、同時にロックシリンダー２５の前端が封閉板２６を押し動かして揺動させて外部に伸び出させ、この時鍵をロック穴２４の中に差し込んで突起ブロック３５に連結し、鍵を回転させることにより噛合輪３３を回転連動させ、それにより固定輪３０を回転連動させ、それにより連結ベルト３１によって右プーリ４４を回転連動させ、それにより連結軸４３によって駆動歯車４８と従動歯車４９とを回転連動させ、それによりネジボルト４５によってスライド棒１２をスライド棒チャンバ１３から滑り出させ、この時ドア１１を開けられ、ドア１１を閉めた後、電動軸５０が導電し始め、この時電動軸５０を導電させ、それにより固定輪３０を反方向に回転連動させ、それによりスライド棒１２を改めてスライド棒チャンバ１３の中に伸びさせ、感応ブロック５１はスライド棒１２がスライド棒チャンバ１３の中に伸びたことを検知した後電磁ねじりばね３７を導電させ、この時電磁ねじりばね３７が封閉板２６を揺動連動させ、それによりロックシリンダー２５を押し動かして噛合輪３３を固定輪３０から離脱させ、同時に連結棒２３が揺動板２１を押し動かして揺動させ、それによりスライダ１８と指紋板１７とを押し動かしてスライドさせ、この時電磁ブロック３９と、電動軸５０と、電磁ねじりばね３７とが導電されなくなる。
【００２０】
本分野の技術者が明確できるのは、本発明の総体精神や発想から離脱しない場合で、以上の実施例に各種な変形ができ、それらの変形がすべて本発明の保護範囲にある。本発明の保護方案は本発明の権利要求書を標準とすべきである。